(57)【特許請求の範囲】
【請求項１】
信号送信手段と、前記信号送信手段に電源供給を行う電源手段と、前記信号送信手段と前記電源手段との間に介挿されたスイッチ手段と、ジャックに対するプラグの差し込みの有・無に応じて前記スイッチ手段をオン・オフ制御する電源制御手段と、前記信号送信手段の出力状態と前記電源制御手段の出力状態とを比較対照することに基づいて制御状態に不整合があるか否かを検出する不整合状態検出手段と、前記不整合状態検出手段による不整合状態を報知する不整合状態報知手段とを備え、
前記ジャックにおける接地端子を電気的分離状態で複数に分割して一方を接地される分割化接地端子となすとともに他方を分割化接続検出端子となしておき、前記ジャックに対する前記プラグの差し込みの有・無に応じた前記分割化接地端子と前記分割化接続検出端子の電気的接続・分離の切り換えに基づいて電源の供給・遮断の制御を行うように構成し、前記信号送信手段が前記ジャックに接続されていることを特徴とする信号伝送装置。
【請求項２】
信号受信手段と、前記信号受信手段に電源供給を行う電源手段と、前記信号受信手段と前記電源手段との間に介挿されたスイッチ手段と、ジャックに対するプラグの差し込みの有・無に応じて前記スイッチ手段をオン・オフ制御する電源制御手段と、前記信号受信手段の出力状態と前記電源制御手段の出力状態とを比較対照することに基づいて制御状態に不整合があるか否かを検出する不整合状態検出手段と、前記不整合状態検出手段による不整合状態を報知する不整合状態報知手段とを備え、
前記ジャックにおける接地端子を電気的分離状態で複数に分割して一方を接地される分割化接地端子となすとともに他方を分割化接続検出端子となしておき、前記ジャックに対する前記プラグの差し込みの有・無に応じた前記分割化接地端子と前記分割化接続検出端子の電気的接続・分離の切り換えに基づいて電源の供給・遮断の制御を行うように構成し、前記信号受信手段が前記ジャックに接続されていることを特徴とする信号伝送装置。
【請求項３】
前記不整合状態報知手段が表示手段であることを特徴とする請求項１または請求項２に記載の信号伝送装置。
【発明の詳細な説明】
【０００１】
【発明の属する技術分野】
本発明は、信号を送信する出力ジャックまたは受信する入力ジャックを持ち、プラグとジャックの接続状況に応じて不必要な消費電力を削減したり、プラグとジャックの接続状況と内部回路の動作状況の不整合を検出してユーザーに報知するようにした信号伝送装置に関する。
【０００２】
【従来の技術】
昨今のマルチメディア化により、ディジタル機器の需要が伸びている。機器のディジタル化により、映像、音声、文字などあらゆる情報が垣根なく扱えるようになり、従来はまったく別のカテゴリであった機器どうしが通信によって情報をやりとりし、何時でも、また何処にいても所望する情報が得られる環境が整いつつある。
【０００３】
その一方で、限られた資源の有効活用を図り、また、安心して生活できる美しい環境を作るために、エネルギー消費量を減らすことも求められている。
【０００４】
ディジタル機器はアナログ機器に比べて非常に複雑な処理ができる反面、消費電力が大きくなるという課題がある。とりわけ、マルチメディア化によるディジタル伝送では動作周波数が非常に高く、消費電力の小さいＣＭＯＳ回路で構成することが難しい部分もある。
【０００５】
この課題を解決する手段として、大きく分けて２つの方法がある。第１の方法は、回路の合理化を図って全体の消費電力を削減するものである。第２の方法は、装置の動作モードにより、そのモードで動作させる必要のない回路の電源を遮断し、消費電力を削減するものである。
【０００６】
第１の方法の具体例としては、使用している集積回路のプロセスルールを細かくしたり、複数の集積回路を１つにまとめて消費電力の大きい入出力回路を減らす手法などがとられる。しかし、これを実施するためには多大な費用と時間が必要になるのが一般的である。
【０００７】
第２の方法の具体例としては、使用していない回路の電源を遮断して、不必要な電力を消費しないようにする方法がある。たとえば、テレビやＶＴＲなどでは待機モード時にリモコンからの信号を受信する部分だけに通電し、残りの回路はすべて電源を遮断することなどがあげられる。この方法は、第１の方法とは異なり、比較的簡単にかつ安価に実現することができ、また効果も大きいことから、さまざまな機器で採用されている方法である。
【０００８】
また、この第２の方法は通信においても重要な方法である。マルチメディア化の進んでいる昨今、さまざまな機器が何らかの通信手段を備えているが、通常の使用状態では他の機器と接続して使うことがまれな機器がある。たとえば、カメラ一体型ＶＴＲの場合、コンピュータにシリアル・インタフェースの規格であるＩＥＥＥ１３９４用ケーブルなどを接続して画像を伝送することがあるが、通常はカメラ一体型ＶＴＲを単体で使用するといったことが例としてあげられる。
【０００９】
このような機器の場合、データ伝送は行わない通常の使用状態においては、通信のための回路の電源を切ることが消費電力削減に有効な手段となる。しかしながら、操作部を設けて人間がマニュアルで操作するとなると、誤操作や電源の切り忘れを生じる。また、バッテリーを使用している機器においては、通信用回路の電源の切り忘れは、稼動できる時間が短くなるため、使いたいときに使えないという不具合が発生する可能性も増える。
【００１０】
上記の課題を解決するために、その機器に他の機器が接続されているかどうかを自動的に検出して、通信用回路の電源を制御する技術が従来よりいくつか提案されている。
【００１１】
第１の従来技術として、特開平７−５７８１９号公報に開示されたものがある。この公報における接続確認機能付きコネクタの概略構成を図７に示して以下に説明する。
【００１２】
図７において、符号の１はジャック、２はジャック１に対して挿抜自在に接続されるプラグ、３はジャック１の奥端に設置された発光素子、４は発光素子３が発光した光を検出する受光素子、５は発光素子３および受光素子４に接続された光センサー駆動回路、６は外部機器との間でジャック１を介して信号の入力または出力が行えるようにジャック１に接続されている内部回路、７は内部回路６および光センサー駆動回路５に電源供給を行う装置電源、８は受光素子４に接続され、接続状態を確認する制御回路、９は内部回路６と装置電源７との間に介挿されて、制御回路８の指令に基づいて内部回路６に対して電源を供給する状態と遮断する状態とを切り換えるスイッチである。
【００１３】
ジャック１と発光素子３と受光素子４の関係は、次のように構成されている。すなわち、ジャック１にプラグ２が差し込まれていない状態あるいは差し込まれていても差し込み不充分の状態では、発光素子３からの出射光が受光素子４に入射され、逆に、ジャック１に正しく差し込まれている状態では、発光素子３からの出射光が差し込み状態のプラグ２によって遮光されて受光素子４には入射されなくなるような関係となっている。
【００１４】
光センサー駆動回路５は常時的に装置電源７から電源を供給されている。また、制御回路８も同様である。
【００１５】
制御回路８は受光素子４からの検出信号を受けて、スイッチ９に対する制御を行う。すなわち、受光素子４が光を入射していることを検出したときには、制御回路８はスイッチ９を接続状態に制御し、装置電源７からスイッチ９を介して内部回路６に電源を供給する。内部回路６は必要に応じて、ジャック１からプラグ２および図示しないケーブルを介して信号を送信したり、あるいは逆に、図示しないケーブルからプラグ２およびジャック１を介して送信されてくる信号を受信したりする。
【００１６】
また、受光素子４に対する入射光が遮光されたことを検出したときには、制御回路８はスイッチ９を遮断状態に制御し、装置電源７からの内部回路６に対する給電を遮断する。
【００１７】
以上によって、プラグ２がジャック１に対して正しく差し込まれ、発光素子３から受光素子４への光が遮断されたときには、制御回路８はジャック１にプラグ２が接続されたと認識してスイッチ９を接続する。そして、プラグ２がジャック１から抜き取られたとき、あるいはジャック１に対する差し込みが不良であるときには、制御回路８はスイッチ９を遮断して、装置電源７から内部回路６に対する給電を停止し、このことによって、不必要な電力消費を削減している。
【００１８】
第２の従来技術として、特開平５−６２７３９号公報に開示されたものがある。この公報における同軸ケーブル用コネクタの構造を図８に示して以下に説明する。
【００１９】
図８において、符号の１０はジャック、１１はジャック１０に対して挿抜自在に接続されるプラグ、１１ａはオスコンタクト、１１ｂは絶縁性筒部、１２はオスコンタクト１１ａと電気的に導通状態となっているプラグ１１におけるフランジ、１９は絶縁体ブロック、１７はジャック１０の基端部をなすジャック１０と一体のフランジ、１３はジャック１０にプラグ１１が正常に接続されたときにフランジ１２が接触する探触部、１８はフランジ１７と探触部１３との間に介在された絶縁性のスペーサである。探触部１３、スペーサ１８およびジャック１０のフランジ１７は絶縁体ブロック１９に対して共通的に取り付けられている。１６は絶縁体ブロック１９の内部に通されて、ジャック１０の内部においてジャック１０と電気的に導通状態となっているメスコンタクト（図示せず）に接続されている導線、１３ａは探触部１３に一体形成されたタブ、１７ａはフランジ１７に一体形成されたタブ、１４は探触部１３のタブ１３ａに接続された電線、１５はフランジ１７のタブ１７ａに接続された電線である。
【００２０】
ジャック１０に対してプラグ１１を差し込むときの動作は次のようになる。プラグ１１の絶縁性筒部１１ｂがジャック１０に内嵌され、プラグ１１のフランジ１２がジャック１０に外嵌される。プラグ１１におけるオスコンタクト１１ａがジャック１０における図示しないメスコンタクトに接触し、電気的な導通状態となる。そのメスコンタクトは構造的にジャック１０と電気的に導通状態となっている。ジャック１０とフランジ１７とも電気的に導通状態となっている。プラグ１１のフランジ１２の前端面は探触部１３における折り曲げ端面に突き合わせ面接触し、電気的な導通状態となる。
【００２１】
以上の結果として、ジャック１０に対してプラグ１１が正しく差し込まれた状態では、電線１４→タブ１３ａ→探触部１３→フランジ１２→プラグ１１→オスコンタクト１１ａ→メスコンタクト→ジャック１０→フランジ１７→タブ１７ａ→電線１５のような経路で電線１４と電線１５とが電気的な導通状態となる。
【００２２】
逆に、ジャック１０に対するプラグ１１の差し込み状態が不良であると、プラグ１１におけるフランジ１２の前端面とジャック１０における探触部１３の折り曲げ端面とが突き合わせ面接触とはならず、電線１４と電線１５とは電気的に分離された状態となる。この不完全結合を検知することを通じて、不完全結合を防止するようにしている。なお、電源供給の制御については、この公報では触れられていない。
【００２３】
上記の例のように他の機器と接続されているかどうかを自動的に検出する装置においても別の課題がある。ケーブルが正しく接続されていても、正しい動作をしているかどうかをユーザーが簡単に把握することができない。また、長い距離を伝送しようとする場合に、非常に不便である。
【００２４】
この第２の課題を解決する従来技術（第３の従来技術）として、特開平６−５２９３８号公報に開示されたものがある。この公報における同軸ケーブル用のコネクタの構造を図９に示して以下に説明する。
【００２５】
図９において、符号の２０はネットワーク側のケーブル、２１はコネクタ、２２はコネクタ内の信号線、２３はコネクタ内の接地線、２４は信号が送信されている状態では発光し、送信されていない状態では消灯する発光素子、２５はネットワークのケーブルの終端位置に設けられる終端抵抗と同じ値を持つ抵抗、２６はコンピュータや端末機器であるノード側のケーブル、２１ａはネットワーク側のケーブル２０との接続部、２１ｂはノード側のケーブル２６との接続部、２２ａ，２２ｂは信号線端子、２３ａ，２３ｂは接地線端子である。
【００２６】
ネットワーク側のケーブル２０とノード側のケーブル２６とがコネクタ２１を介して接続されている。すなわち、ネットワーク側のケーブル２０はコネクタ２１の接続部２１ａに接続され、信号線端子２２ａ、接地線端子２３ａのそれぞれは信号線２２、接地線２３を介してノード側の接続部２１ｂにおける信号線端子２２ｂ、接地線端子２３ｂに対して接続され、ノード側のケーブル２６を通って図示しないノード装置に接続されている。
【００２７】
高周波のディジタル信号が信号線２２を通って双方向に伝送される。ケーブル２０，２６に断線が発生していない正常状態のとき、およびコネクタ２１の接続部２１ａ，２１ｂにおける接触不良などがない正常状態のときには、ディジタル信号の伝送によって発光素子２４が発光する。しかし、断線や接触不良があると、発光素子２４は発光しない。このように発光素子２４の発光の有無の検出をもって、断線や接触不良の有無をチェックするようにしている。
【００２８】
【発明が解決しようとする課題】
信号伝送装置においては、信号を伝送する必要があるときだけ信号送信手段または信号受信手段に電源を供給し、不要な場合に電源を遮断することによって消費電力を削減することが要求されている。また、ケーブルのプラグが正しく装着され、かつ内部回路が正しく動作しているかどうかをユーザーが確認することができるようにして、高い信頼性を確保することが要求されている。
【００２９】
第１の従来技術としての特開平７−５７８１９号公報に開示の接続確認機能付きコネクタ（図７参照）の場合には、プラグ２の差し込みの有無の検出に当たって、発光素子３や受光素子４や光センサー駆動回路５などの高価な部品を必要としており、部品点数が多く、また全体的に構造が複雑化しているとともに、コストアップを招く結果となっている。
【００３０】
また、第２の従来技術としての特開平５−６２７３９号公報に開示の同軸ケーブル用コネクタ（図８参照）の場合には、特殊な形状の探触部１３と、この探触部１３とジャック１のフランジ２との間に介在させるスペーサ１８とを新たに追加しなければならないだけでなく、探触部１３、スペーサ１８およびフランジ２を絶縁体ブロック１９に対して共通に取り付けなければならないので、全体としての形状および構造が著しく複雑なものとなっている。さらに、探触部１３の折り曲げ端面とプラグ１１側のフランジ１２の前端面との突き合わせ面接触をもって差し込みの有無を検出するので、ジャックやプラグの加工精度としてきわめてシビアなものが要求されることになり、コストアップを招くこととなる。それでいて、接合したときの遊びに対しての精度が出しにくく、しかも、ジャックとプラグの嵌合長が同じでないと検出できない。言い換えれば、ジャックとプラグとして異なるメーカー製のものを使うことに対して制約がかかってしまうということである。
【００３１】
さらに、第３の従来技術としての特開平６−５２９３８号公報に開示の同軸ケーブル用のコネクタ（図９参照）の場合には、双方向伝送の場合や単方向伝送の送信側にとっては有効かも知れないが、単方向伝送の受信側での検出は難しい。また、この手段では信号線２２そのものに負荷である発光素子２４が接続されているため、周波数が高くなると伝送距離が短くなってしまう。
【００３２】
本発明は上記した課題の解決を図るべく創作したものであって、プラグ差し込み無しのときにはジャックを介しての信号伝送に関係のない回路における不必要な消費電力を削減する構成を前提として、その機能を構造簡単にして比較的低価格で実現し、さらにプラグ差し込みの有無検出の精度を高いものとして信頼性を向上させることを目的としている。また、プラグ差し込みの有無検出に基づく電源供給・停止の自動的な制御が適正か否かの動作状況のユーザーによる確認を容易化することを目的としている。
【００３３】
【課題を解決するための手段】
上記した課題の解決を図ろうとする本発明にかかわる信号伝送装置は、ジャックにおける接地端子（一般的な接地端子に相当するもの）を電気的分離状態で複数に分割して一方を接地される分割化接地端子となすとともに他方を分割化接続検出端子となしておくものである。
【００３４】
このような形態のジャックに対してプラグを差し込むと、前記分割化接続検出端子が前記分割化接地端子と電気的に接続された状態となる。これに対して、プラグが差し込まれていない状態、あるいは差し込まれていても差し込み不良が生じている状態では、分割化接続検出端子と分割化接地端子とが電気的に分離されたままの状態となる。このような２状態を識別することにより、プラグ差し込みの有・無を検出することができ、差し込み有りのときには回路に電源を供給して必要な動作を行わせることができるとともに、差し込み無しのときには電源供給を遮断して、無駄な電力消費を削減することができる。
【００３５】
そして、このような機能を発揮させるに当たり、一般的な接地端子に相当するものを電気的分離状態で複数に分割して一方を接地される分割化接地端子となし、他方を分割化接続検出端子となすだけの簡単な構造のものでよく、また、部品点数も少なくでき、コスト負担増を抑制することができる。
【００３６】
特に、分割化接続検出端子と分割化接地端子とを合わせた形態は、もとは一般的な接地端子に相当するものであり、プラグを差し込むと、その一般的な接地端子に対してプラグが電気的な接続状態を現出するようになっているので、その一般的な接地端子に相当する分割化接続検出端子と分割化接地端子とは、差し込まれたプラグを介して良好な電気的接続状態を現出することとなる。これは、通常は、突き合わせ面接触ではなく、嵌合面接触であり、確実な接触が得られる。したがって、差し込み有りと差し込み無しとを明確に識別することが可能であり、検出精度がすぐれたものとなる。それでいて、加工精度としてはそれほどシビアなものが要求されないですむ。すなわち、構造をきわめて簡素なものとなし、コスト増を抑制しながら、信頼性を高めることができるのである。
【００３７】
また、上記のようなジャックの構造はジャック側の変更のみで対応することが可能であって、プラグ側には改変を要求しないですむので、プラグとしては、一般的な従来のものと同様のものをそのまま使うことが可能であり、あるいは、今後開発される新しいが一般的なタイプのものをそのまま適用することも可能となる。
【００３８】
また、本発明の信号伝送装置は、上記の要件に加えて、電源の供給・遮断の制御の不整合を検出して不整合状態を報知するように構成したものとなっている。このようにすることにより、プラグ差し込み有りのときの自動的な電源供給によって該当回路が所期通りに能動状態になったか否か、また、プラグ差し込み無しのときの自動的な電源遮断によって該当回路が所期通りに不動作状態になったか否かという制御の不整合状態（換言すれば、適正制御の実現）をユーザーに確認させることができ、動作の信頼性を向上することができる。
【００３９】
また、ジャックは、上述したとおりの、接地端子（一般的な接地端子に相当するもの）が複数に分割されてなる一方の接地される側の分割化接地端子と、前記分割の残りの前記分割化接地端子とは電気的分離状態となる他方の分割化接続検出端子とを有する構造とされたものとなっている。このようなジャックは、主として上述のような信号伝送装置において用いられるものであるが、それによって、上記のすぐれた作用・効果を発揮する信号伝送装置の構築を行いやすくすることができる。
【００４０】
なお、上記において、ジャックとプラグという関係で説明してきたが、この表現には必ずしもそれにとらわれる必要性はなく、オスコネクタとメスコネクタという関係でとらえてもよきものとし、さらには、メス側についてはソケットとかレセプタクルといった概念でとらえてもよきものとする。すなわち、代表例としては同軸ケーブル用ジャックやＩＥＥＥ１３９４ケーブル用ジャックなどがあげられるが、これ以外の任意の態様のコネクタ類を適用対象としてよいものとする。
【００４１】
【発明の実施の形態】
以下、本発明の実施の形態を総括的に説明する。
【００４２】
本願第１の発明の信号伝送装置は、信号送信手段と、前記信号送信手段に電源供給を行う電源手段と、前記信号送信手段と前記電源手段との間に介挿されたスイッチ手段と、ジャックに対するプラグの差し込みの有・無に応じて前記スイッチ手段をオン・オフ制御する電源制御手段と、前記信号送信手段の出力状態と前記電源制御手段の出力状態とを比較対照することに基づいて制御状態に不整合があるか否かを検出する不整合状態検出手段と、前記不整合状態検出手段による不整合状態を報知する不整合状態報知手段とを備え、前記ジャックにおける接地端子（一般的な接地端子に相当するもの）を電気的分離状態で複数に分割して一方を接地される分割化接地端子となすとともに他方を分割化接続検出端子となしておき、前記ジャックに対する前記プラグの差し込みの有・無に応じた前記分割化接地端子と前記分割化接続検出端子の電気的接続・分離の切り換えに基づいて電源の供給・遮断の制御を行うように構成し、前記信号送信手段が前記ジャックに接続されている。
【００４３】
この第１の発明による作用は次のとおりである。プラグ差し込み有りのときに回路に電源を供給して必要な動作を行わせ、また、プラグ差し込み無しのときには電源供給を遮断して、無駄な電力消費を削減することができるのであるが、その機能を発揮させるためのジャックの構造は上記のとおりに、一方を接地される分割化接地端子に、他方を分割化接続検出端子となすだけの簡単なものですむ。しかも、プラグを差し込むことによる嵌合面接触であるために、分割化接続検出端子と分割化接地端子との電気的接続状態を確実なものとすることができ、差し込み有りと差し込み無しとを明確に識別することが可能であり、検出精度がすぐれたものとなる。それでいて、加工精度としてはそれほどシビアなものが要求されないですむ。すなわち、構造をきわめて簡素なものとなし、また、部品点数も少なくでき、コスト負担増を抑制しながら、信頼性を高めることができる。さらには、プラグ側には改変を要求しないですみ、一般的な従来のものと同様のプラグのそのままの使用が可能となる。また、プラグ差し込み有りのときはスイッチ手段をオンにして電源を信号送信手段に供給し、信号送信手段を能動状態となして、信号送信機能を発揮させ、逆に、プラグ差し込み無しのときはスイッチ手段をオフにして信号送信手段に対して電源供給を停止し、信号送信手段を不動作となして、無駄な電力消費を削減することができる。そして、このような機能を発揮させるに当たって、前述のようなジャックを用いるので、構造簡単にして相対的に低廉となしながらも信頼性を高いものとすることができる。更に、不整合状態検出手段が信号送信手段の出力状態と電源制御手段の出力状態との不整合を検出すると、その検出信号を不整合状態報知手段に送出することにより、不整合状態を報知してユーザーに知らせることができる。
【００４４】
本願第２の発明の信号伝送装置は、信号受信手段と、前記信号受信手段に電源供給を行う電源手段と、前記信号受信手段と前記電源手段との間に介挿されたスイッチ手段と、ジャックに対するプラグの差し込みの有・無に応じて前記スイッチ手段をオン・オフ制御する電源制御手段と、前記信号受信手段の出力状態と前記電源制御手段の出力状態とを比較対照することに基づいて制御状態に不整合があるか否かを検出する不整合状態検出手段と、前記不整合状態検出手段による不整合状態を報知する不整合状態報知手段とを備え、前記ジャックにおける接地端子を電気的分離状態で複数に分割して一方を接地される分割化接地端子となすとともに他方を分割化接続検出端子となしておき、前記ジャックに対する前記プラグの差し込みの有・無に応じた前記分割化接地端子と前記分割化接続検出端子の電気的接続・分離の切り換えに基づいて電源の供給・遮断の制御を行うように構成し、前記信号受信手段が前記ジャックに接続されている。
【００４５】
この第２の発明による作用は次のとおりである。プラグ差し込み有りのときに回路に電源を供給して必要な動作を行わせ、また、プラグ差し込み無しのときには電源供給を遮断して、無駄な電力消費を削減することができるのであるが、その機能を発揮させるためのジャックの構造は上記のとおりに、一方を接地される分割化接地端子に、他方を分割化接続検出端子となすだけの簡単なものですむ。しかも、プラグを差し込むことによる嵌合面接触であるために、分割化接続検出端子と分割化接地端子との電気的接続状態を確実なものとすることができ、差し込み有りと差し込み無しとを明確に識別することが可能であり、検出精度がすぐれたものとなる。それでいて、加工精度としてはそれほどシビアなものが要求されないですむ。すなわち、構造をきわめて簡素なものとなし、また、部品点数も少なくでき、コスト負担増を抑制しながら、信頼性を高めることができる。さらには、プラグ側には改変を要求しないですみ、一般的な従来のものと同様のプラグのそのままの使用が可能となる。また、プラグ差し込み有りのときはスイッチ手段をオンにして電源を信号受信手段に供給し、信号受信手段を能動状態となして、信号受信機能を発揮させ、逆に、プラグ差し込み無しのときはスイッチ手段をオフにして信号受信手段に対して電源供給を停止し、信号受信手段を不動作となして、無駄な電力消費を削減することができる。そして、このような機能を発揮させるに当たって、前述のようなジャックを用いるので、構造簡単にして相対的に低廉となしながらも信頼性を高いものとすることができる。更に、不整合状態検出手段が信号受信手段の出力状態と電源制御手段の出力状態との不整合を検出すると、その検出信号を不整合状態報知手段に送出することにより、不整合状態を報知してユーザーに知らせることができる。
【００４６】
本願第３の発明の信号伝送装置は、上記の第１・第２の発明において、前記不整合状態報知手段が表示手段であるというものである。報知の形態としては、警報ブザーなどの音によるものでもよいのであるが、表示することにより、より具体的で詳細な報知が可能となる。すなわち、プラグ差し込み無し状態であるにもかかわらず回路が能動状態となってしまっているのか、それとも、プラグ差し込み有り状態であるにもかかわらず回路が不動作状態となってしまっているのかといった具合に具体的かつ詳細に知らせることができる。
【００６６】
以下、本発明にかかわる信号伝送装置およびジャックの具体的な実施の形態を図面に基づいて詳細に説明する。
【００６７】
（実施の形態１）
図１は本発明の実施の形態１の送信側の信号伝送装置の電気的構成を示すブロック図、図２はその信号伝送装置における同軸ケーブル用ジャックの構造を示す斜視図である。本実施の形態１は、送信側の信号伝送装置についてのものである。
【００６８】
まず、図１に基づいて信号伝送装置の概略的な構成について説明する。符号の１００は図示しない外部の同軸ケーブル用プラグを挿抜させて電気的な接続・分離を行うジャック、１０１は信号処理手段、１０２は信号処理手段１０１の出力信号を受け取って送信に適した信号形態に変換して送信を行う信号送信手段、１０３は信号送信手段１０２に電源を供給する電源手段、１０４は電源手段１０３と信号送信手段１０２との間に介挿されて、電源手段１０３から信号送信手段１０２に対する給電のオン・オフを行うスイッチ手段、１０５はジャック１００に対する図示しない同軸ケーブル用プラグの接続状態の検出に基づいてスイッチ手段１０４をオン・オフ制御する電源制御手段である。なお、同軸ケーブル用ジャック１００の構成要素としての符号の１００ａ，１００ｂ，１００ｃについては後述する。
【００６９】
電源制御手段１０５によるスイッチ手段１０４の制御の態様は次のとおりである。
【００７０】
電源制御手段１０５は、ジャック１００に対する同軸ケーブル用プラグ（図示せず）の差し込みの有無の状況を監視している。ジャック１００は、プラグ差し込み有無の検出信号を電源制御手段１０５に出力する。電源制御手段１０５は、差し込み有りを検出したときには、スイッチ手段１０４に対してオン制御信号を送出する。オン制御信号を受け取ったスイッチ手段１０４は、閉成動作を行い、電源手段１０３を信号送信手段１０２に接続し、電源手段１０３からの電源を信号送信手段１０２に給電する。これにより、信号送信手段１０２は能動状態となり、信号処理手段１０１が生成した信号を信号送信手段１０２を介してジャック１００に送出し、ジャック１００からさらに同軸ケーブル用プラグおよび同軸ケーブルを介して外部機器に送出する。
【００７１】
電源制御手段１０５は、また、ジャック１００に対する同軸ケーブル用プラグの差し込み無し（差し込み不良を含む）を検出したときには、スイッチ手段１０４に対してオフ制御信号を送出する。オフ制御信号を受け取ったスイッチ手段１０４は、開成動作を行い、信号送信手段１０２を電源手段１０３から切り離し、信号送信手段１０２に対する給電を停止する。
【００７２】
この給電停止の意味は次のとおりである。信号送信手段１０２を能動状態としていても、ジャック１００に同軸ケーブル用プラグが接続されていなくて、外部機器への信号送出の媒体がないのであるから、信号送信手段１０２に電源を供給して能動状態としておくことは無駄である。したがって、信号送信手段１０２を不動作状態とすることにより、無駄な電力消費を節減することができる。
【００７３】
次に、図２を用いてジャック１００の具体的構造について説明する。
【００７４】
従来の同軸ケーブル用ジャックの接地部分は円筒形で、すべての部分が電気的に同じ電位を持つように構成されている。本実施の形態１における同軸ケーブル用ジャック１００は、従来の同軸ケーブル用ジャックの接地部分を電気的分離状態で複数に分割して一方を接地される分割化接地端子１００ｃとなすとともに他方を分割化接続検出端子１００ｂとなしておき、ジャックに対するプラグの差し込みの有・無に応じた分割化接地端子１００ｃと分割化接続検出端子１００ｂとの電気的接続・分離の切り換えに基づいて前記電源の供給・遮断の制御を行うように構成してある。
【００７５】
図２に示す同軸ケーブル用ジャック１００は、内側導体部５０と外側導体部６０とが同心状に配置され、両者間に図示しない絶縁体が介在された状態で内側導体部５０と外側導体部６０とが一体化されている。外側導体部６０には同心状の鍔部６１が一体的に設けられているとともに、ガイドピン６２，６２が一体的に植設されており、さらに接地接続部６３が一体的に設けられている。内側導体部５０は、細長い筒状に構成されており、その筒部の中心孔がメスコンタクト１００ａに構成されている。
【００７６】
さらに、本実施の形態においては、外側導体部６０が２つに分割されている。その一方はサイズが大きく、一般のものと同様に接地端子１００ｃとなっている。本明細書では、この接地端子１００ｃを分割化接地端子１００ｃと呼んでいる。外側導体部６０の分割された他方はサイズが小さい分割化接続検出端子１００ｂとなっている。鍔部６１、ガイドピン６２，６２および接地接続部６３は分割化接地端子１００ｃの方に存在している。分割化接続検出端子１００ｂの形状は、軸線方向に沿って細長い部分円弧の短冊状となっている。そして、分割化接続検出端子１００ｂと分割化接地端子１００ｃとの間には、絶縁連結体１００ｄが介在されており、分割化接地端子１００ｃと絶縁連結体１００ｄと分割化接地端子１００ｃとで一般のものと同様の一体の筒状体を構成している。鍔部６１の奥側相当位置で、分割化接続検出端子１００ｂにプラグ差し込み有無の検出信号の出力端子６４が設けられている。
【００７７】
なお、図示した分割化接続検出端子１００ｂの形状やサイズは好ましいと思われる一例であるに過ぎず、また、鍔部６１やガイドピン６２，６２や接地接続部６３や出力端子６４の有無や態様についても好ましいと思われる一例であるに過ぎず、これらについては任意に定め得るものとする。また、もとの外側導体部６０の分割数については任意に定め得るものとする。絶縁連結体１００ｄの材質やサイズについても同様とする。要するに、既存の同軸ケーブル用プラグの接地端子の分割数や接地端子間の隙間の幅などを考慮して適切な値に設定するものとする。
【００７８】
図１について、上記では説明していなかったが、図２をもって説明した同軸ケーブル用ジャック１００は、図１にも示すように、電気的に分離された３つのエレメント、すなわちメスコンタクト１００ａと分割化接続検出端子１００ｂと分割化接地端子１００ｃとからなり、その分割化接続検出端子１００ｂにおける出力端子６４がプルアップ抵抗１０６を介して直流電源Ｖccに接続されているとともに、電源制御手段１０５に入力接続されている。
【００７９】
図示しない同軸ケーブル用プラグを差し込まない差し込み無しの状態では、上記のとおり、分割化接続検出端子１００ｂは分割化接地端子１００ｃとは電気的に分離されているので、分割化接続検出端子１００ｂにおける電位は直流電源Ｖccからプルアップ抵抗１０６の電圧降下分を引いた“Ｈ”レベルとなる。電源制御手段１０５は、分割化接続検出端子１００ｂから“Ｈ”レベルのプラグ差し込み無しの検出信号を入力したときには、スイッチ手段１０４に対してオフ制御信号を出力することになる。この場合、スイッチ手段１０４は開成され、信号送信手段１０２に対する電源手段１０３からの給電は停止となり、信号送信手段１０２は不動作状態となる。
【００８０】
図示しない同軸ケーブル用プラグを差し込んだ差し込み有りの状態では、その同軸ケーブル用プラグが分割化接続検出端子１００ｂにも分割化接地端子１００ｃにも接触するので、分割化接続検出端子１００ｂが同軸ケーブル用プラグを介して分割化接地端子１００ｃに接続され、その分割化接地端子１００ｃはグランドＧＮＤに接続されているから、結局、分割化接続検出端子１００ｂは実質的にグランドＧＮＤに接続されたことになり、プルアップ抵抗１０６における電圧降下はＶccと同じとなり、分割化接続検出端子１００ｂの電位は“Ｌ”レベルとなる。電源制御手段１０５は、分割化接続検出端子１００ｂから“Ｌ”レベルのプラグ差し込み有りの検出信号を入力したときには、スイッチ手段１０４に対してオン制御信号を出力することになる。この場合、スイッチ手段１０４は閉成され、電源手段１０３から信号送信手段１０２に対する電源が供給されることになり、信号送信手段１０２は能動状態となる。
【００８１】
同軸ケーブル用ジャック１００に同軸ケーブル用プラグを差し込んだ状態では、同軸ケーブル用プラグにおける図示しないオスコンタクトがメスコンタクト１００ａに導通接触されることになり、給電を受けて能動状態となっている信号送信手段１０２は、信号処理手段１０１からの信号に所定の変換を行った信号を送出することになり、その送出された信号は同軸ケーブル用ジャック１００におけるメスコンタクト１００ａから同軸ケーブル用プラグにおけるオスコンタクトを経て、そして、同軸ケーブルを経て、外部機器に送出されることになる。
【００８２】
なお、本実施の形態１においては、分割化接続検出端子１００ｂと分割化接地端子１００ｃとを絶縁連結体１００ｄを介して一体化してあるので、強度的に一般のものと遜色ないものとなっている。ただし、材質や肉厚の工夫によっては、絶縁連結体１００ｄを省略した態様のもので実施することも考えられる。
【００８３】
本実施の形態１における同軸ケーブル用ジャック１００は、同軸ケーブル用プラグの差し込みの有無を検出する機能を、同軸ケーブル用プラグの差し込みによる電気的接触の有無をもって達成しているので、図７に示した第１の従来技術の場合の発光素子、受光素子および光センサー駆動回路を用いたものに比べて、その構造がはるかに簡単なものとなっている。
【００８４】
また、本実施の形態１における同軸ケーブル用ジャック１００の態様は、図８に示した第２の従来技術の場合のジャック１０に比べてはるかに簡単な構造となっており、その製造コストも低く抑えることが可能となっている。
【００８５】
また、この同軸ケーブル用ジャック１００に差し込まれるべき同軸ケーブル用プラグとしては、第２の従来技術（図８）のように嵌合長がシビアに規格化された特定の同軸ケーブル用プラグでなくてもよくて、一般的な従来のものと同様のものそのままでよい。あるいは、今後開発される新しいが一般的なタイプのものをそのまま適用することが可能となっている。
【００８６】
（実施の形態２）
図３は本発明の実施の形態２の信号伝送装置の電気的構成を示すブロック図である。本実施の形態２は、受信側の信号伝送装置についてのものである。
【００８７】
図３において、符号の１００は実施の形態１の場合の図１を用いて説明したのと同じ図２に示す同軸ケーブル用ジャック、２０１は信号処理手段、２０２は同軸ケーブル用ジャック１００から入力した信号をあとの信号処理に適した信号形態に変換して信号処理手段２０１に対して受け渡す信号受信手段、２０３は信号受信手段２０２に電源を供給する電源手段、２０４は電源手段２０３と信号受信手段２０２との間に介挿されて、電源手段２０３から信号受信手段２０２に対する給電のオン・オフを行うスイッチ手段、２０５はジャック１００に対する図示しない同軸ケーブル用プラグの接続状態の検出に基づいてスイッチ手段２０４をオン・オフ制御する電源制御手段、２０６は同軸ケーブル用ジャック１００における分割化接続検出端子１００ｂをプルアップするプルアップ抵抗である。
【００８８】
電源制御手段２０５によるスイッチ手段２０４の制御の態様は次のとおりである。
【００８９】
電源制御手段２０５は、ジャック１００に対する図示しない同軸ケーブル用プラグの差し込みの有無の状況を監視している。同軸ケーブル用プラグを差し込んだ差し込み有りの状態では、その同軸ケーブル用プラグが同軸ケーブル用ジャック１００における分割化接続検出端子１００ｂにも分割化接地端子１００ｃにも接触するので、分割化接続検出端子１００ｂが同軸ケーブル用プラグを介して分割化接地端子１００ｃに接続され、その分割化接地端子１００ｃはグランドＧＮＤに接続されているから、結局、分割化接続検出端子１００ｂは実質的にグランドＧＮＤに接続されたことになり、プルアップ抵抗２０６における電圧降下はＶccと同じとなり、分割化接続検出端子１００ｂの電位は“Ｌ”レベルとなる。電源制御手段２０５は、分割化接続検出端子１００ｂから“Ｌ”レベルのプラグ差し込み有りの検出信号を入力したときには、スイッチ手段２０４に対してオン制御信号を出力することになる。この場合、スイッチ手段２０４は閉成され、電源手段２０３から信号受信手段２０２に対する電源が供給されることになり、信号受信手段２０２は能動状態となる。図示しない同軸ケーブル、および同軸ケーブル用プラグを介して同軸ケーブル用ジャック１００から入力した信号を信号受信手段２０２を介して信号処理手段２０１に送出する。
【００９０】
図示しない同軸ケーブル用プラグを差し込まない差し込み無しの状態では、同軸ケーブル用ジャック１００における分割化接続検出端子１００ｂは分割化接地端子１００ｃとは電気的に分離されているので、分割化接続検出端子１００ｂにおける電位は直流電源Ｖccからプルアップ抵抗２０６の電圧降下分を引いた“Ｈ”レベルとなる。電源制御手段２０５は、分割化接続検出端子１００ｂから“Ｈ”レベルのプラグ差し込み無しの検出信号を入力してプラグの差し込み無しと判断したときには、スイッチ手段２０４に対してオフ制御信号を出力することになる。この場合、スイッチ手段２０４は開成され、信号受信手段２０２に対する電源手段２０３からの給電は停止となり、信号受信手段２０２は不動作状態となる。
【００９１】
この給電停止の意味は次のとおりである。信号受信手段２０２を能動状態としていても、ジャック１００に同軸ケーブル用プラグが接続されていなくて、外部機器からの信号を受ける媒体がないのであるから、信号受信手段２０２に電源を供給して能動状態としておくことは無駄である。したがって、信号受信手段２０２を不動作状態とすることにより、無駄な電力消費を節減することができる。
【００９２】
本実施の形態２においても、その他の構成、動作、作用・効果については実施の形態１の場合と同様であるので、説明を省略する。
【００９３】
（実施の形態３）
図４は本発明の実施の形態３の送信側の信号伝送装置の電気的構成を示すブロック図である。
【００９４】
実施の形態１についての図１におけるのと同じ符号は本実施の形態３についての図４においても同一構成要素を指示しているので、ここでは符号名称を記載するにとどめることとし、また、実施の形態１において説明した事項であって本実施の形態３において改めて説明しない事項についてはそのまま本実施の形態３にも該当するものとし、詳しい説明は省略する。符号の１００は同軸ケーブル用ジャック、１００ａはメスコンタクト、１００ｂは分割化接続検出端子、１００ｃは分割化接地端子、１０１は信号処理手段、１０２は信号送信手段、１０３は電源手段、１０４はスイッチ手段、１０５は電源制御手段、１０６はプルアップ抵抗である。本実施の形態３における構成が実施の形態１と相違する点は以下のとおりである。
【００９５】
新たな構成要素として、不整合状態検出手段１０７と不整合状態報知手段１０８とが設けられている。不整合状態報知手段１０８としては、液晶ディスプレイ（ＬＣＤ）などの表示手段とするほか、電子ブザーなどでもよい。
【００９６】
不整合状態検出手段１０７は、電源制御手段１０５からの出力信号と信号送信手段１０２からの出力信号とを入力し、それら両信号に基づいて装置が正常に動作しているかどうかを検出するようになっている。具体的には、電源制御手段１０５から出力された信号がオン制御信号であるときに、信号送信手段１０２から有効な出力信号が出力されていない場合は、不整合が発生しているものとして、不整合検出信号を不整合状態報知手段１０８に出力する。
【００９７】
また、不整合状態検出手段１０７は、電源制御手段１０５から出力された信号がオフ制御信号であるときに、信号送信手段１０２から有効な出力信号が出力されている場合は、不整合が発生しているものとして、不整合検出信号を不整合状態報知手段１０８に出力する。
【００９８】
不整合検出信号を入力した不整合状態報知手段１０８は、不整合状態が検出された旨をユーザーに知らせる表示を行う。例えば、「正常休止状況」と表示する。
【００９９】
上記以外の場合、すなわち、電源制御手段１０５から出力された信号がオン制御信号であるときに、信号送信手段１０２から有効な出力信号が出力されている場合、あるいは、電源制御手段１０５から出力された信号がオフ制御信号であるときに、信号送信手段１０２から有効な出力信号が出力されていない場合は、整合状態であるものとして、不整合状態報知手段１０８に対しては不整合検出信号を出力しない。このとき、不整合状態報知手段１０８は、特別には表示を行わない。あるいは、不整合状態検出手段１０７は、整合状態であると判定したときに、不整合状態報知手段１０８に整合状態検出信号を出力することとし、不整合状態報知手段１０８は、整合状態である旨をユーザーに知らせる表示を行うように構成してもよい。例えば、「正常動作状況」と表示する。
【０１００】
以上のように、本実施の形態３の信号伝送装置においては、同軸ケーブル用ジャック１００に対する同軸ケーブル用プラグの差し込みが正しく行われたとユーザーが思っていても、差し込みに差し込み量不足などの不良が生じている場合には、「正常休止状況」が表示され、正しく差し込まれたときには、「正常動作状況」が表示されるため、ユーザーの思い込みに起因しての装置の動作不良を事前に回避したり、回路の故障をユーザーに知らせることができる。
【０１０１】
なお、上記の説明では信号送信手段１０２の出力を同軸ケーブル用ジャック１００と不整合状態検出手段１０７の双方に送出することを簡単に記述したが、実際の回路構成としては、信号送信手段１０２の出力側に分配器を設け、ジャック１００に対する伝送を行う信号線の負荷を通常と同じ状態に保つようになし、これによって伝送距離の低下を防ぐようにする工夫を施すことが好ましい。
【０１０２】
（実施の形態４）
図５は本発明の実施の形態４の受信側の信号伝送装置の電気的構成を示すブロック図である。
【０１０３】
実施の形態２についての図３におけるのと同じ符号は本実施の形態４についての図５においても同一構成要素を指示しているので、ここでは符号名称を記載するにとどめることとし、また、実施の形態２において説明した事項であって本実施の形態４において改めて説明しない事項についてはそのまま本実施の形態４にも該当するものとし、詳しい説明は省略する。符号の１００は同軸ケーブル用ジャック、１００ａはメスコンタクト、１００ｂは分割化接続検出端子、１００ｃは分割化接地端子、２０１は信号処理手段、２０２は信号受信手段、２０３は電源手段、２０４はスイッチ手段、２０５は電源制御手段、２０６はプルアップ抵抗である。本実施の形態４における構成が実施の形態２と相違する点は以下のとおりである。
【０１０４】
新たな構成要素として、不整合状態検出手段２０７と不整合状態報知手段２０８とが設けられている。不整合状態報知手段２０８としては、液晶ディスプレイ（ＬＣＤ）などの表示手段とするほか、電子ブザーなどでもよい。
【０１０５】
不整合状態検出手段２０７は、電源制御手段２０５からの出力信号と信号受信手段２０２からの出力信号とを入力し、それら両信号に基づいて装置が正常に動作しているかどうかを検出するようになっている。具体的には、電源制御手段２０５から出力された信号がオン制御信号であるときに、信号受信手段２０２から有効な出力信号が出力されていない場合は、不整合が発生しているものとして、不整合検出信号を不整合状態報知手段２０８に出力する。
【０１０６】
また、不整合状態検出手段２０７は、電源制御手段２０５から出力された信号がオフ制御信号であるときに、信号受信手段２０２から有効な出力信号が出力されている場合は、不整合が発生しているものとして、不整合検出信号を不整合状態報知手段２０８に出力する。
【０１０７】
不整合検出信号を入力した不整合状態報知手段２０８は、不整合状態が検出された旨をユーザーに知らせる表示を行う。例えば、「正常休止状況」と表示する。
【０１０８】
上記以外の場合、すなわち、電源制御手段２０５から出力された信号がオン制御信号であるときに、信号受信手段２０２から有効な出力信号が出力されている場合、あるいは、電源制御手段２０５から出力された信号がオフ制御信号であるときに、信号受信手段２０２から有効な出力信号が出力されていない場合は、整合状態であるものとして、不整合状態報知手段２０８に対しては不整合検出信号を出力しない。このとき、不整合状態報知手段２０８は、特別には表示を行わない。あるいは、不整合状態検出手段２０７は、整合状態であると判定したときに、不整合状態報知手段２０８に整合状態検出信号を出力することとし、不整合状態報知手段２０８は、整合状態である旨をユーザーに知らせる表示を行うように構成してもよい。例えば、「正常動作状況」と表示する。
【０１０９】
以上のように、本実施の形態４の信号伝送装置においては、同軸ケーブル用ジャック１００に対する同軸ケーブル用プラグの差し込みが正しく行われたとユーザーが思っていても、差し込みに差し込み量不足などの不良が生じている場合には、「正常休止状況」が表示され、正しく差し込まれたときには、「正常動作状況」が表示されるため、ユーザーの思い込みに起因しての装置の動作不良を事前に回避したり、回路の故障をユーザーに知らせることができる。
【０１１０】
（実施の形態５）
実施の形態５は、ジャックについての別の形態に関するものである。図６は本発明の実施の形態５のＩＥＥＥ１３９４ケーブル用ジャックの構造を示す斜視図である。
【０１１１】
ＩＥＥＥ１３９４ケーブル用ジャック３００の構成要素としての符号の３００ａは信号を伝送する４本または６本のコンタクト、３００ｂはＩＥＥＥ１３９４ケーブル用ジャック３００の筐体接地端子を２つに分けた一方であってプラグの差し込み有無の検出用に使用する分割化接続検出端子、３００ｃは筐体接地端子を２つに分けた残りの部分であって本来通りに接地用に使用される分割化接地端子である。なお、強度を確保するために、分割化接続検出端子３００ｂと分割化接地端子３００ｃの間に絶縁連結体を介在させて一体化してもよい。
【０１１２】
以上のように構成されたＩＥＥＥ１３９４ケーブル用ジャック３００は、図１、図３、図４、図５に示す信号伝送装置における同軸ケーブル用ジャック１００に代えて用いることができる。具体的には、メスコンタクト１００ａをコンタクト３００ａに、分割化接続検出端子１００ｂを分割化接続検出端子３００ｂに、分割化接地端子１００ｃを分割化接地端子３００ｃにそれぞれ置き換えたものに相当する。
【０１１３】
このＩＥＥＥ１３９４ケーブル用ジャック３００を用いた信号伝送装置にあっては、その他の構成、動作、作用・効果については各々に対応する実施の形態１〜４と同様であるので、説明を省略する。
【０１１４】
以上、本発明の実施の形態について詳述してきたが、本発明は上記の実施の形態に限定される必要性はなく、次のような実施の形態も含み得るものである。
（１）上記の実施の形態においては、ジャックにおいて、分割化接続検出端子と分割化接地端子とを絶縁連結体を介して一体化したが、絶縁連結体は必ずしも必要ではなくて、材質や肉厚の工夫によっては、絶縁連結体を省略して実施してもよい。
（２）上記の実施の形態においては、送信側の信号伝送装置と受信側の信号伝送装置とを別々に論じたが、必ずしもそれにとらわれる必要性はなく、送信機能と受信機能の双方を有している信号伝送装置として構成してもよい。
（３）上記の（２）の場合において、ジャックとしては、送信用のものと受信用のものとをそれぞれ単体ものとして構成してもよいし、両者をまとめた一体型のものとして構成してもよい。一体型の場合には、もとの外側導体部６０の分割数を４分割や６分割などの偶数分割とすることになる。
（４）上記においては、ジャックとプラグという関係で説明してきたが、この表現には必ずしもそれにとらわれる必要性はなく、オスコネクタとメスコネクタという関係でとらえてもよきものとする。さらには、メス側についてはソケットとかレセプタクルといった概念でとらえてもよい。すなわち、上記においては、同軸ケーブル用ジャックと、ＩＥＥＥ１３９４ケーブル用ジャックとを代表例としてあげたが、これ以外に、主としてＲＳ−２３２Ｃケーブルに用いられるＤ‐ｓｕｂコネクタ、アンフェノールコネクタ、ＤＩＮコネクタ、ミニＤＩＮコネクタ、ＨＤＩコネクタ、Ｓ映像端子用コネクタ、ＢＮＣコネクタ、各種バスコネクタなどに適用展開することが考えられる。
【０１１５】
上記の（１）〜（４）は互いに独立した事項であり、これらのうち任意の事項を任意数適当に組み合わせてもよきものとする。
【０１１６】
なお、本願の明細書または図面に記載してある任意の事項について、その省略の可能性、または特許請求の範囲への追加ならびに発明の詳細な説明の変更の可能性を留保する。
【０１１７】
【発明の効果】
以上のように本発明によれば、プラグ差し込み無しのときに該当回路への電源供給を停止して無駄な電力消費を削減するようにした信号伝送装置において、分割化接地端子と分割化接続検出端子との分割構造というきわめて簡単な構造をとりながらも、プラグの嵌合面接触という形態でのプラグの差し込み状態の有無検出を高精度に行うことができ、それでいて、加工精度としてはそれほどシビアなものが要求されないですみ、コスト増を抑制しながら、信頼性を高めることができる。
【０１１８】
さらに、ジャック側の変更のみで対応することが可能であって、プラグ側には改変を要求しないですむので、プラグとしては、一般的な従来のものと同様のものをそのまま使うことが可能であり、あるいは、今後開発される新しいが一般的なタイプのものをそのまま適用することも可能となる。
【０１１９】
また、プラグ差し込み有りのときの自動的な電源供給によって該当回路が所期通りに能動状態になったか否か、また、プラグ差し込み無しのときの自動的な電源遮断によって該当回路が所期通りに不動作状態になったか否かという制御の不整合状態（換言すれば、適正制御の実現）をユーザーに確認させることができ、動作の信頼性を向上することができる。
【図面の簡単な説明】
【図１】  本発明の実施の形態１の送信側の信号伝送装置の電気的構成を示すブロック図
【図２】  実施の形態１の信号伝送装置における同軸ケーブル用ジャックの構造を示す斜視図
【図３】  本発明の実施の形態２の受信側の信号伝送装置の電気的構成を示すブロック図
【図４】  本発明の実施の形態３の送信側の信号伝送装置の電気的構成を示すブロック図
【図５】  本発明の実施の形態４の受信側の信号伝送装置の電気的構成を示すブロック図
【図６】  本発明の実施の形態５の信号伝送装置におけるＩＥＥＥ１３９４ケーブル用ジャックの構造を示す斜視図
【図７】  第１の従来技術の接続確認機能付きコネクタの概略構成を示すブロック図
【図８】  第２の従来技術の同軸ケーブル用コネクタの概略構造を示す斜視図
【図９】  第３の従来技術の同軸ケーブル用コネクタの概略構成を示す回路構成図
【符号の説明】
５０    内側導体部
６０    外側導体部
６３    接地接続部
６４    接地接続部の出力端子
１００    同軸ケーブル用ジャック
１００ａ  メスコンタクト
１００ｂ  分割化接続検出端子
１００ｃ  分割化接地端子
１００ｄ  絶縁連結体
１０１    信号処理手段
１０２    信号送信手段
１０３    電源手段
１０４    スイッチ手段
１０５    電源制御手段
１０６    プルアップ抵抗
１０７    不整合状態検出手段
１０８    不整合状態報知手段
２０１    信号処理手段
２０２    信号受信手段
２０３    電源手段
２０４    スイッチ手段
２０５    電源制御手段
２０６    プルアップ抵抗
２０７    不整合状態検出手段
２０８    不整合状態報知手段
３００    ＩＥＥＥ１３９４ケーブル用ジャック
３００ａ  コンタクト
３００ｂ  分割化接続検出端子
３００ｃ  分割化接地端子
【図１】
0003740340.tif 000002
【図２】
0003740340.tif 000003
【図３】
0003740340.tif 000004
【図４】
0003740340.tif 000005
【図５】
0003740340.tif 000006
【図６】
0003740340.tif 000007
【図７】
0003740340.tif 000008
【図８】
0003740340.tif 000009
【図９】
0003740340.tif 000010